(57)【要約】      （修正有）【課題】強風や自動車の衝突にあっても植生基盤が飛散しない緑化用棚形成体および緑化棚を提供する。【解決手段】緑化用棚形成体３０は、支柱４にボルト５によって固定されるボルト通し孔６を有する垂直面である固定部位面３１、この固定部位面３１から前方に折られて下向き傾斜で前方に延びた上部板面３２、この上部板面３２から下方に垂直に折られて下方に延びた前部板面３３、この前部板面３３から後方に折られて下向き傾斜で後方に延びた下部板面３４、この下部板面３４から下方に垂直に折られて下方に延びた固定部位面３５とからなっている。【選択図】図１０
2012100648.tif 000002
【特許請求の範囲】
【請求項１】
鋼板に多数の切り込み入れ押し拡げあるいは引き延ばして傾斜状の壁間に形成した孔の多数によって網目状鋼板に形成してなる、あるいは鋼板に設けた多数の切り込み部分を押し出し形成した顎状の壁や傾斜状の壁の間に形成した孔の多数によって網目状鋼板に形成してなるエキスパンドメタルメッシュ、  上部面を形成する前記エキスパンドメタルメッシュからなる上部板面と、  この上部板面とで植生基盤を収納する植生基盤収納部を形成するように、該上部板面の前方側から後方に延びた前記エキスパンドメタルメッシュからなる下部板面と、  前記上部板面と前記下部板面との後方に形成される前記植生基盤収納部の開口である後方開口部とからなることを特徴とする緑化用棚形成体。
【請求項２】
上部板面の前方側と下部板面の前方側の間にエキスパンドメタルメッシュにより形成された前部板面を設けてなる特徴とする請求項１記載の緑化用棚形成体。
【請求項３】
上部板面の後方端から支柱や壁面に固定される部位となる第１の固定部位面が立ち上げられ、下部板面の後方端から支柱や壁面の固定される部位となる第２の固定部位面が立ち下げられてなることを特徴とする請求項１、２のいずれか１項に記載の緑化用棚形成体。
【請求項４】
植生基盤収納部が複数棚形成され、この複数棚の形成が１枚のエキスパンドメタルメッシュを折り曲げて形成したものであることを特徴とする請求項１〜３のいずれか１項に記載の緑化用棚形成体。
【請求項５】
植生基盤収納部を形成するエキスパンドメタルメッシュの内側面に種子入り植生シートが貼られてなることを特徴とする請求項１〜４のいずれか１項に記載の緑化用棚形成体。
【請求項６】
植生基盤収納部に保水性と通気性のあるウレタン製発泡材からなる植生基盤が収納されてなることを特徴とする請求項１〜５のいずれか１項に記載の緑化用棚形成体。
【請求項７】
複数本の支柱と、この支柱に緑化棚を形成する形態で取り付けられた請求項１〜５のいずれか1項に記載された緑化用棚形成体とからなることを特徴とする緑化棚。    
【発明の詳細な説明】
【技術分野】
【０００１】  本発明は、擁壁、壁面、塀などの緑化用棚形成体および緑化棚に関する。
【背景技術】
【０００２】  従来の緑化棚は、メッシュ材料によって形成されたもので、全面開口した上部面および側面形状が逆三角形の植生基盤収納部を形成する、傾斜形態である前部面と、この前部面の下部が固定されてなる背部面とからなる緑化用棚形成体を、階段状にコンクリート斜面に配置してなる形態の緑化棚が知られている。（例えば特許文献１）  また、支柱前面から後方に向けて棚板を斜めに差込むための斜めの凹みからなる棚板差込部を多段設け、間隔を開けて配置した複数本の支柱に棚板を多段に設けてなる、棚の上部が全面開口である緑化棚が知られている。（例えば特許文献２）
【先行技術文献】
【特許文献】
【０００３】
【特許文献１】特開平１０−３０６４４６号公報（図１０）
【特許文献２】特開２００９−２５４３４７号公報
【非特許文献】
【０００４】
【非特許文献１】特になし
【発明の概要】
【発明が解決しようとする課題】
【０００５】  上述した特許文献１、２の技術はいずれも、上部が全面開口形態であるため植生基盤の上部面が露出した形態であり、このため、台風などの強風によって植生基盤が吹き飛ばされてしまう、種子を蒔いた直後は強風で種子も飛び散ってしまう、また、大雨が降り注ぐと種子や出た直後の芽などが流水で流亡してしまうという欠点を有するものであった。  このため、植物の生育域がまばらになるなど、生育植物状態になってもイメージしていた景観、美観が得られないという欠点を有するものであった。  また、道路側壁の緑化棚（家屋、建造物の塀をふくむ）とした場合では、自動車が衝突した場合にも植生基盤が飛散してその片付けで交通制限が長時間になる、心ない通行人が植生基盤を掘り出し飛散させてしまうという欠点があった。  また、河川護岸・水路・砂防堰堤等の流速があり流木や流石のある場所においては、種子が流亡してしまう、棚そのものが破損してしまう、かような場所には設置できないという欠点があった。  また、前方の突出した各棚板（植生基盤収納部）の上部開口部のみの植物の生育であるため、各棚板の前面部は植物が生育しない板面のままである。このため緑化棚を景観的にくまなく緑で覆い尽くす緑化ができ難い、各棚板の前面部位が緑化棚の景観の一部を形成する、それによって、緑化面積が少なくなっているという欠点を有するものであった。  また、特許文献２の技術は、棚板差込部が形成された決まった前後厚みの支柱を使用することが前提となるので、植生基盤の分量を増やすことには限界があり、そのため灌水装置を常設条件にし、あるいは定期的な水まきを条件にするものであった。  また、植生基盤を新しいものに交換する場合は、生育した植物も植生基盤とともに取り出し廃棄ないし植え替えを行わなくてはならないという欠点を有するものであった。【０００６】  本発明は以上のような従来技術の欠点に鑑み、強風や自動車の衝突にあっても植生基盤が飛散しない緑化用棚形成体および緑化棚を提供することを目的としている。  また、前方に突出した植生基盤収納部を多段で設けた凸凹多段形態の緑化棚において、少なくとも各緑化棚の上面、前面に植物が育成して景観的には緑化棚全面が緑化されているような景観を実現し、それによって緑化面積を増やすことができる緑化用棚形成体および緑化棚を提供することを目的としている。  また、生育した植物を残して植生基盤の交換を可能とする緑化用棚形成体および緑化棚を提供することを目的としている。
【課題を解決するための手段】
【０００７】  上記目的を達成するために本発明は以下のような構成としている。＜請求項１記載の発明＞  鋼板に多数の切り込み入れ押し拡げあるいは引き延ばして傾斜状の壁間に形成した孔の多数によって網目状鋼板に形成してなる、あるいは鋼板に設けた多数の切り込み部分を押し出し形成した顎状の壁や傾斜状の壁の間に形成した孔の多数によって網目状鋼板に形成してなるエキスパンドメタルメッシュ、上部面を形成する前記エキスパンドメタルメッシュからなる上部板面と、この上部板面とで植生基盤を収納する植生基盤収納部を形成するように、該上部板面の前方側から後方に延びた前記エキスパンドメタルメッシュからなる下部板面と、前記上部板面と前記下部板面との後方に形成される前記植生基盤収納部の開口である後方開口部とからなることを特徴とする緑化用棚形成体である。  「該上部板面の前方側から後方に延びた・・・下部板面」とは、上部板面から直接的に延びた下部板面という形態、上部板面から前部板面を経由して間接的に該上部板面から延びた下部板面という形態、のいずれの形態も技術的範囲に含まれる者である。＜請求項２記載の発明＞  上部板面の前方側と下部板面の前方側の間にエキスパンドメタルメッシュにより形成された前部板面を設けてなる特徴とする請求項１記載の緑化用棚形成体である。＜請求項３記載の発明＞  上部板面の後方端から支柱や壁面に固定される部位となる第１の固定部位面が立ち上げられ、下部板面の後方端から支柱や壁面の固定される部位となる第２の固定部位面が立ち下げられてなることを特徴とする請求項１、２のいずれか１項に記載の緑化用棚形成体である。＜請求項４記載の発明＞  植生基盤収納部が複数棚形成され、この複数棚の形成が１枚のエキスパンドメタルメッシュを折り曲げて形成したものであることを特徴とする請求項１〜３のいずれか１項に記載の緑化用棚形成体である。＜請求項５記載の発明＞  植生基盤収納部を形成するエキスパンドメタルメッシュの内側面に種子入り植生シートが貼られてなることを特徴とする請求項１〜４のいずれか１項に記載の緑化用棚形成体である。＜請求項６記載の発明＞  植生基盤収納部に保水性と通気性のあるウレタン製発泡材からなる植生基盤が収納されてなることを特徴とする請求項１〜５のいずれか１項に記載の緑化用棚形成体である。＜請求項７記載の発明＞  複数本の支柱と、この支柱に緑化棚を形成する形態で取り付けられた請求項１〜５のいずれか1項に記載された緑化用棚形成体とからなることを特徴とする緑化棚である。
【発明の効果】
【０００８】  本発明にあっては次に列挙する効果を奏する。＜請求項１記載の発明の効果＞  鋼板に多数の切り込み入れ押し拡げあるいは引き延ばして傾斜状の壁間に形成した孔の多数によって網目状鋼板に形成してなる、あるいは鋼板に設けた多数の切り込み部分を押し出し形成した顎状の壁や傾斜状の壁の間に形成した孔の多数によって網目状鋼板に形成してなるエキスパンドメタルメッシュ、  上部面を形成する前記エキスパンドメタルメッシュからなる上部板面と、  この上部板面とで植生基盤を収納する植生基盤収納部を形成するように、該上部板面の前方側から後方に延びた前記エキスパンドメタルメッシュからなる下部板面と、  前記上部板面と前記下部板面との後方に形成される前記植生基盤収納部の開口である後方開口部とからなることを特徴とする緑化用棚形成体であるので、次に述べるような効果を奏する。  すなわち、（１）支柱、擁壁、壁などの棚形成ベースに前方に凸形態で突出する緑化用棚形成体を一段棚、あるいは複数段棚を形成するように取付け緑化棚を形成し、あるいは、支柱間に緑化用棚形成体を一段棚、あるいは複数段棚を形成するように取付け緑化棚を形成し、植生基盤収納部に現地用土、保水通気性のあるウレタン製発泡材、粉砕した木皮片と土の混合植生材などの植生基盤を収納し、植生基盤の表側に種子を蒔いた状態とするのであるが、植生基盤、種子ともに鋼板からなる強靱なエキスパンドメタルメッシュ内に位置されるので、上部面、下部面、前部面はエキスパンドメタルメッシにより囲われ、背部面（後方）はエキスパンドメタルメッシあるいは塞がれる。すなわち、前方に突出した凸形態の植生基盤および種子の四方が完全に塞がれた状態となるので、台風のような強風があっても植生基盤および種子が飛散することがないという効果を奏する。（２）前記（１）によって、大雨があても殆どの種子は流亡することなく、生育しエキスパンドメタルメッシュないで根をはり、生育植物がイメージした景観、美観で生えそろう緑化棚を実現するという効果を奏する。また、緑化用棚形成体内で種子から生育させるので、メッシュ内層で根を張り巡らす状態となり、これよって、河川護岸・水路・砂防堰堤等の流速があり流木や流石が当る場所に使用しても植物・基盤材の流亡が無い、かような場所にも設置して緑化を可能にするという効果を奏する。（３）自動車の衝突の衝撃に対しても多くの場合は、鋼板からなる強靱なエキスパンドメタルメッシュが潰れ曲がるだけであり、あるいは一部が破ける程度であるので、中の植生基盤の飛散が少量で済み、車両事故が発生しても植生基盤材等が飛散しないので、交通制限を短時間にできるという効果を奏する。  また、自動車が衝突しても極めて良好な緩衝機能を発揮するので交通事故による被害を軽減させることが期待できるという効果を奏する。  また、分厚い消音特性のある植生基盤によって、自動車の走行音を消音軽減するという効果を奏する。  また、通行人等がいたずらで植生基盤を掘り返すなどということができないという効果を奏する。  よって、高速道路を含む自動車道路の側壁に緑化棚を形成するのに適しているものである。（４）前方の突出した緑化用棚形成体の上部板面、前部板面、下部板面の全ての面���網目状鋼板であるエキスパンドメタルメッシュによって形成されているので、多数の穴から植物が生育して外に伸び出して、少なくとも緑化用棚形成体の上部板面および前部板面を緑化することを実現するという効果を奏する。これによって、景観的には緑化棚全面が緑化されているような景観を実現し、それによって緑化面積を増やすことができるという効果を奏する。  植物によっては、下部板面も緑化可能である。  メッシュの網目からの植物の生長であり、これに持っても適した草丈の低い植物（主にグランドカバープランツ）を選択することが最適であり、このような使用とした場合には植物の剪定作業をしなくてもよいことになり、草丈の低い植物（主にグランドカバープランツ）を選択することにより、保水の有効期間が長期化できるものである。（５）一般的には、緑化用棚形成体は支柱前面にボルトや溶接などによって取り付けられるものであるので、特別な仕様の支柱の使用に限定されない形態を実現しており、支柱の前後幅は自由に選択できるという効果を奏する。これによって、支柱の前後幅を広いものにすることによって、収納する植生基盤の分量を多くして保水量を高めて灌水装置を常設あるいは定期的な水まきをしなくてもよい、自然の降雨だけによって緑化が保持される緑化棚を実現することを可能とするものである。（６）密着性の無いないし弱い植生基盤を使用することによって、植生基盤を例えば予め設けてある下方開口を開口してとりだすことができるとともに、網の目を通り抜けて成長している植物はエキスパンドメタルメッシによって該エキスパンドメタルメッシ上に保持されるので、新しい混合植生基盤を投入して既存の植物を新しい植生基盤で生育させることができるという効果を奏する。  また、密着性の強い植生基盤であっても水崩壊性のものであれば、流水によって植生基盤を荒い流し除くことによって、網の目を通り抜けて成長している植物はエキスパンドメタルメッシによって該エキスパンドメタルメッシ上に保持された状態とし、新しい混合植生基盤を投入して既存の植物を新しい植生基盤で生育させることができるという効果を奏する。（７）部分的に枯れた部位は、エキスパンドメタルメッシの孔の植生基盤を細棒なでほじくり出し、種子を練り込んだ土などの種子入り植生基盤を該孔に押し込むことによって、簡単に補修できるという効果を奏する。＜請求項２記載の発明の効果＞  上部板面の前方側と下部板面の前方側の間にエキスパンドメタルメッシュにより形成された前部板面を設けることを特徴とする請求項１記載の緑化用棚形成体であるので、このような構成としても請求項１記載の発明と同様な効果を奏する。＜請求項３記載の発明の効果＞  上部板面の後方端から支柱や壁面（建造物の壁面、擁壁面など）に固定される部位となる第１の固定部位面が立ち上げられ、下部板面の後方端から支柱や壁面の固定される部位となる第２の固定部位面が立ち下げられてなることを特徴とする請求項１、２のいずれか１項に記載の緑化用棚形成体であるので、請求項１、２のいずれか１項に記載の発明と同様な効果を奏するとともに次に述べるような効果を奏する。  すなわち、  第１の固定部位面、第２の固定部位面のフランジ効果によって、緑化用棚形成��の強度をたかめるとともに、支柱や壁面への緑化用棚形成体の取付けを容易かつ堅固にするという効果を奏する。＜請求項４記載の発明の効果＞  植生基盤収納部が複数棚形成され、この複数棚の形成が１枚のエキスパンドメタルメッシュを折り曲げて形成したものであることを特徴とする請求項１〜３のいずれか１項に記載の緑化用棚形成体であるので、請求項１〜３のいずれか１項に記載の発明と同様な効果を奏するとともに次に述べるような効果を奏する。  すなわち、  複数棚が１枚のエキスパンドメタルメッシュを折り曲げて形成したものであるので、強度が堅固であり且つ低コストにできるという効果を奏する。＜請求項５記載の発明の効果＞  植生基盤収納部を形成するエキスパンドメタルメッシュの内側面に種子入り植生シートが貼られてなることを特徴とする請求項１〜４のいずれか１項に記載の緑化用棚形成体であるので、請求項１〜４のいずれか１項に記載の発明と同様な効果を奏するとともに次に述べるような効果を奏する。  すなわち、植生基盤収納部を形成するエキスパンドメタルメッシュの内側面に種子入り植生シートが貼られてなるので、植生シートの内側にあるいはサンドイッチ形態で種子を保護することにより流水、強風での種子の飛散をいっそう強固に止め、また、種子の量を最小限にでき、よって、最小限の種子で生育植物のまんべんなく生育した景観、美観に優れた緑化を実現するという効果を奏する。  また、植物を植生シート内の種子から生育させることにより、メッシュ内層で根を張り巡らす状態となり、これよって、河川護岸・水路・砂防堰堤等の流速のある場所に使用しても植物・基盤材の流亡が無い、かような場所にも設置して緑化を可能にするという効果を奏する。＜請求項６記載の発明の効果＞  植生基盤収納部に保水性と通気性のあるウレタン製発泡材からなる植生基盤が収納されてなることを特徴とする請求項１〜５のいずれか１項に記載の緑化用棚形成体であるので、請求項１〜５のいずれか１項に記載の発明と同様な効果を奏するとともに次に述べるような効果を奏する。  すなわち、  軽量部材であるウレタン製発泡材からなる植生基盤が収納されているので、設置作業が行いやすく且つ短時間の作業にできるという効果を奏する。＜請求項７記載の発明の効果＞  複数本の支柱と、この支柱に緑化棚を形成する形態で取り付けられた請求項１〜５のいずれか1項に記載された緑化用棚形成体とからなることを特徴とする緑化棚であるので、請求項１〜５のいずれか1項に記載の発明と同様な効果を奏する。
【図面の簡単な説明】
【０００９】
【図１】本発明の実施例１の緑化棚の組立斜視図。
【図２】本発明の実施例１の緑化棚の左側面図、正面図および底面図。
【図３】本発明の実施例１の緑化用棚形成体の左側面図および中間一部省略正面図。
【図４】本発明の実施例１のエキスパンドメタルメッシュＭの参考正面図および参考Ａ−Ａ線切断端面図。
【図５】本発明の実施例１の植物が生育した状態を示す部分断面図。
【図６】本発明の実施例１の植生基盤を収納した状態の断面図。
【図７】本発明の実施例１の植生基盤を収納した状態の断面図。
【図８】本発明の実施例１の他の植生基盤を収納した状態の断面図。
【図９】本発明の実施例１の緑化用棚形成体の左側面図、平面図、正面図および背面図。
【図１０】本発明の実施例２の緑化棚の左側面図、正面図および底面図。
【図１１】本発明の実施例２の緑化棚のバリエーションを示す側面図。
【図１２】本発明の実施例２の緑化棚の他のバリエーションを示す側面図。
【図１３】本発明の実施例２の緑化用棚形成体の中間一部省略正面図、中間一部省背面図、中間一部省底面図、左側面図おおび緑化棚を形成した状態の参考斜視図。
【図１４】本発明の実施例３の緑化用棚形成体の中間一部省正面図、中間一部省背面図、中間一部省底面図、左側面図おおび緑化棚を形成した状態の参考斜視図。
【図１５】本発明の実施例４の緑化用棚形成体の平面図、正面図、背面図および左側面図。
【図１６】本発明の実施例５の塞ぎプレート付き支柱および突起付き固定ベルトの斜視図。
【図１７】本発明の実施例６の塞塞ぎプレート付き固定ベルトの斜視図。
【図１８】本発明の実施例７の塞ぎプレート付き支柱および突起付き固定ベルトの斜視図。
【図１９】本発明の実施例８の緑化用棚形成体の他の形態を示す側面図。
【図２０】本発明の実施例９の緑化用棚形成体の他の形態を示す側面図。
【図２１】その他の発明の実施例１の緑化用棚形成体の左側面図、右側面図、正面図、平面図、底面図および背面図。
【図２２】その他の発明の実施例１の緑化棚の側面図および正面図。
【図２３】その他の発明の実施例１の緑化棚の植物の植栽状態図。
【図２４】その他の発明の実施例１の支柱の内側側面図、緑化棚の平面図および底面図。
【図２５】その他の発明の実施例２の緑化棚の組立側面図および正面図。
【図２６】その他の発明の実施例３の緑化用棚形成体の左側面図、右側面図、正面図、平面図、底面図および背面図。
【図２７】その他の発明の実施例３の緑化棚の側面図および正面図。
【図２８】その他の発明の実施例４の緑化棚の植栽状態図。
【図２９】本発明の実施例１のエキスパンドメタルメッシュＭの参考正面端面図、参考左側面端面図、参考右側面端面図、参考平面端面図および参考底面端面図。
【図３０】本発明の実施例１０の緑化用棚形成体の正面図。
【図３１】本発明の実施例１０の緑化用棚形成体の固定ベルトを省略した側面。
【図３２】本発明の実施例１０の緑化用棚形成体の支柱、固定ベルトおよび支柱を省略した斜視図。
【発明を実施するための形態】
【００１０】  以下、本発明を実施するための最良の形態である実施例を説明する。但し、本発明をこれら実施例のみに限定する趣旨のものではない。また、後述する実施例の説明に当って、前述した実施例の同一構成部分には同一符号を付して重複する説明を省略する。
【実施例１】
【００１１】  図１〜図９、図２９に示す本発明の実施例において１は緑化用棚形成体であて、この緑化用棚形成体１は次のような構成となっている。  鋼板に多数の切り込み入れ押し拡げあるいは引き延ばして傾斜状の孔形成壁２の間に形成した菱形、扇形あるいは亀甲状等に形成した孔３の多数によって網目状鋼板に形成してなる、あるいは鋼板に設けた多数の切り込み部分を押し出し形成した顎状（傾斜状壁に含む）の孔形成壁２や傾斜状の孔形成壁２の間に形成した孔３の多数によって網目状鋼板に形成してなるエキスパンドメタルメッシュＭ、緑化用棚形成体１はこのエキスパンドメタルメッシュＭ（以下「メッシュＭ」ともいう）の一枚を折り曲げて形成したものである。  すなわち、  支柱４ａ、４ｂ、４ｃ（アンカーが埋め込まれた壁面などでもよい）にボルト５によって固定されるボルト通し孔６を有する垂直面である固定部位面７ａ、この固定部位面７ａから前方に折られて下向き傾斜で前方に延びた上部板面８ａ、この上部板面８ａから下方に垂直に折られて下方に延びた前部板面９ａ、この前部板面９ａから後方に折られて下向き傾斜で後方に延びた下部板面１０ａ、上部板面８ａと前部板面９ａと下部板面１０ａとで形成された植生基盤を収納する植生基盤収納部１１ａ、上部板面８ａと下部板面１０ａとの後方に形成される植生基盤収納部１１ａの開口である後方開口部１２ａとからなる棚１３ａと、  下部板面１０ａから下向き垂直に折り下げられた垂直面であるボルト通し孔６を有する固定部位面７ｂ、この固定部位面７ｂから前方に折られて下向き傾斜で前方に延びた上部板面８ｂ、この上部板面８ｂから下方に垂直に折られて下方に延びた前部板面９ｂ、この前部板面９ｂから後方に折られて下向き傾斜で後方に延びた下部板面１０ｂ、上部板面８ｂと前部板面９ｂと下部板面１０ｂとで形成された植生基盤を収納する植生基盤収納部１１ｂ、上部板面８ｂと下部板面１０ｂとの後方に形成される植生基盤収納部１１ｂの開口である後方開口部１２ｂとからなる棚１３ｂと、  下部板面１０ｂから下向き垂直に折り下げられた垂直面であるボルト通し孔６を有する固定部位面７ｃ、この固定部位面７ｃから前方に折られて下向き傾斜で前方に延びた上部板面８ｃ、この上部板面８ｃから下方に垂直に折られて下方に延びた前部板面９ｃ、この前部板面９ｃから後方に折られて下向き傾斜で後方に延びた下部板面１０ｃ、上部板面８ｃと前部板面９ｃと下部板面１０ｃとで形成された植生基盤を収納する植生基盤収納部１１ｃ、上部板面８ｃと下部板面１０ｃとの後方に形成される植生基盤収納部１１ｃの開口である後方開口部１２ｃとからなる棚１３ｃと、  下部板面１０ｃから下向き垂直に折り下げられた垂直面であるボルト通し孔６を有する固定部位面７ｄ、この固定部位面７ｄから前方に折られて下向き傾斜で前方に延びた上部板面８ｄ、この上部板面８ｄから下方に垂直に折られて下方に延びた前部板面９ｄ、この前部板面９ｄから後方に折られて下向き傾斜で後方に延びた下部板面１０ｄ、この下部板面１０ｄから下向き垂直に折り下げられた垂直面であるボルト通し孔６を有する固定部位面７ｅ、上部板面８ｄと前部板面９ｄと下部板面１０ｄとで形成された植生基盤を収納する植生基���収納部１１ｄ、上部板面８ｄと下部板面１０ｄとの後方に形成される植生基盤収納部１１ｄの開口である後方開口部１２ｄとからなる棚１３ｄとからなっている。【００１２】  上部板面、前部板面および下部板面により形成された棚の側面形状が横向き台形である。このような横向き台形としたことにより、緑化棚上方開口より投入した植生基盤材が植生基盤収納部の隅々にまでまんべんなく行き渡る形態を実現するとともに、強度のある形態を実現している。【００１３】  前部板面９ａ、９ｂ、９ｃ、９ｄにおいては、孔形成壁２がその下部を後方下に位置し上部を前方上に位置した、孔３が孔形成壁２の上方にその開口を位置する形態とされ、それぞれの孔３と孔形成壁２で小さな植生鉢ないし植物が孔３からメッシュＭの外に上に向かって成長して行く孔を形成し、上部板面８ａ、８ｂ、８ｃ、８ｄにおいては、孔形成壁２がその下部を前方下に位置し上部を後方上に位置した、孔３が孔形成壁２の開口を後方に位置する形態とされ、それぞれの孔３からメッシュＭの外に上に向かって成長して行く孔を形成した形態となっている。  固定部位面７ａ、７ｂ、７ｃ、７ｄには支柱４ａ、４ｂ、４ｃのねじ穴１４に重なるねじ通し孔２５が設けられている。【００１４】  上部板面の傾斜下り角度を略４５度とし（４５度の傾斜角度の）孔形成壁２が垂直に立った状態から前方に傾いた状態とするのもよい。この場合下部板面は略水平とするのがよく、これによって、植物が生える上部板面と前部板面の面積すなわち緑化面積が増えることになる。  また、上部板面を略水平にするのもよい。【００１５】  立設されたあるいは壁面に固定された、前面に所定の間隔で設けられたねじ穴１４（ナット溶接でもよい。あるいはねじ穴とせずねじ通し孔としてナット締めとするのもよい。）を有する支柱４ａ、４ｂ、４ｃに、緑化用棚形成体１が該緑化用棚形成体１の表面形状に形とられた固定ベルト１５ａ、１５ｂ、１５ｃとボルト５によって固定され、支柱４ａ、４ｂ、４ｃ上部に被せ固定される上部被せ材２４が設けられて緑化棚１６が形成されている。  上部被せ材２４内には水を供給するためのパイプ２２は設けられている。  固定ベルト固定ベルト１５ａ、１５ｂ、１５ｃの凹み部位には、ねじ穴１４に重なるねじ通し孔２３が設けられている。  緑化用棚形成体１は上方に連設して設けることも、横に連設して設けることもできるものであり、横連設の場合は図１のようにねじ通し孔２３同士が重なる側部重なり部２５を形成しておこなう。また図示していないが、上連設の場合は下位置の緑化用棚形成体１の最上部の固定部位面７ａに上位置の緑化用棚形成体１の最下部の固定部位面７ｅが重ねられてボルトにより固定される。【００１６】  支柱間に緑化用棚形成体１を一段棚、あるいは複数段棚を形成するように取付け緑化棚を形成する形態もある。このような形態は主にプランターや塀として好適である。【００１７】  図６に示すように、緑化用棚形成体１の内側面全面に種子・肥料入りの植生シート１７（植生シート間に種子が挟まれる形態）が貼られ、植生基盤収納部１１ａ〜１１ｄには吸水性、保水性、通気性のある合成樹脂製の発泡植生基盤１８（ウレタン製発泡植生基盤が好適である）が充填、塊の嵌め込みなどによって埋め尽くす形態で設けられている。背面壁は道路側壁、構造物壁などのコンクリート壁２５である。【００１８】  また、図７に示すように、緑化用棚形成体１の内側面全面に種子・肥料入りの植生シート１７（植生シート間に種子が挟まれる形態）が貼られ、植生基盤収納部１１ａ〜１１ｄには現地の用土からなる現地用土植生基盤２０を現地にて詰め込んでいる。吸水性、保水性、通気性のある合成樹脂製の発泡植生基盤１８（ウレタン製発泡植生基盤が好適である）が充填、塊の嵌め込みなどによって埋め尽くす形態で設けられている。背面プレート１９は緑化用棚形成体１の背面に直接隙間無く固定された隙間の無い形態でもよい。  背部にはエキスパンドメタルメッシュＭからなる背面プレート１９が固定部位面７ａ、７ｂ、７ｃ、７ｄとの間に隙間をあけて配置されている。【００１９】  また、図８に示すように、粉砕木皮、土、肥料を混合してなる混合植生基盤２１を現地にて詰め込む、あるいは前もって詰め込んである形態を示している。植生シート１７は上部板面と前部板面の範囲に設け、さらに、植生シート１７を背面プレート１９の内側面に設け、背面プレート１９からも外に向かって植物が生育して背面側も緑化されるようにしている。表も裏（背面）緑化された塀などを実現するものである。  自然土壌を主成分とした育成基盤材に街路樹の剪定材・間伐材等のリサイクル資材等を保水材とした混合植生基盤とするのがよい。  こうした混合植生基盤は専用の充填用バークブロワーで行うのが作業効率上好適である。【００２０】  また、種子を混ぜた糊状植生部材（バインダー）をはけ塗り、ローラ塗り、噴射塗りなどによってメッシュＭの内側面に予め塗布して提供されるもの、現場で塗布するものもよい。糊状植生部材は生分解性のものがよい。  また、植生基盤そのものに種子を混合させておくのもよい。  また、現場緑化棚形成後に上部板面および前部板面に向けて種子を吹き付けるなどして孔３内に種子を蒔くようにしてもよい。この場合、種子蒔きの後に生分解性のバインダーを表から塗布して、種子が強風で飛散しないようにするのがよい。  また、現場緑化棚形成後に上部板面および前部板面に向けて粘着性の生分解性バインダーを薄く塗布し、その後種子を吹き付けるなどで蒔いて粘着性バインダーに種子をくっつけて強風や雨でも飛散しないようにするのも可能である。【００２１】  また、密着性の無いないし弱い混合植生基盤を用いることによって、混合植生基盤を交換する場合にあっては、緑化用棚形成体１を支柱４から外すのであるが、この外した状態でも、網目（孔３）を通り抜けて根は内側に茎及び葉は外に出して成長した植物はメッシュＭによって該メッシュＭ上に保持されている。古い混合植生基盤を取り除き、植物付きの緑化用棚形成体１を支柱に取付け、新しい混合植生基盤を投入して既存の植物を新しい植生基盤で生育させることができるものである。  また、密着性の強い植生基盤であっても水崩壊性のものであれば、流水によって植生基盤を荒い流し除くことによって、網の目を通り抜けて成長している植物はエキスパンドメタルメッシによって該エキスパンドメタルメッシ上に保持された状態とし、新しい混合植生基盤を投入して既��の植物を新しい植生基盤で生育させることができるものである。  また、部分的に枯れた部位は、エキスパンドメタルメッシの孔の植生基盤を細棒なでほじくり出し、種子を練り込んだ土などの種子入り植生基盤を該孔に押し込むことによって、簡単に補修できる。  メッシュの網目からの植物の生長であり、これに持っても適した草丈の低い植生基盤からの水分吸収の少ないグランドカバー（地面を覆うように広がる、背の低い植物）に向いた常用多年草植物を選択することが最適であり、このような使用とした場合には植物の剪定作業をしなくてもよいことになり、草丈の低いダイカンドラ、テイフブレア、シロツメクサなどの多年草常緑植物を選択することにより、保水の有効期間が長期化できるものである。  また、常用植物としてはヒメイワダレソウ・セダム・コケ類等もよい。【００２２】  エキスパンドメタルメッシュＭは、厚み１．２ｍｍの亜鉛メッキ鋼板を使用し、孔の開口を形成しる傾斜状の孔形成壁２（顎部分）の傾斜角度は略４５度であり、孔の横ピッチは１５ｍｍのものか３５ｍｍのものを（１５ｍｍ〜４０ｍｍのものが好適である）、収納する植生基盤の内容によって、あるいは植生する植物によって使い分けている。  エキスパンドメタルメッシュＭは現在最も低価格で耐候性のある亜鉛メッキ鋼板がコスト的にはよいのであるが、亜鉛メッキのものに限定されず、ステンレスのようなメッキを必要としない鋼板、他のメッキによるものなどが使用でき、鋼板であるので廃棄の場合は１００％鉄くずとしてリサイクルがされるものである。
【実施例２】
【００２３】  図１０〜図１３に示す本発明の実施例２において前記実施例１と主に異なる点は、棚の前後長さを実施例１の緑化用棚形成体１の２倍程度の長さとし、且つ、棚が一つである緑化用棚形成体３０を形成した点にある。  具体的には、緑化用棚形成体３０は、支柱４にボルト５によって固定されるボルト通し孔６を有する垂直面である固定部位面３１、この固定部位面３１から前方に折られて下向き傾斜で前方に延びた上部板面３２、この上部板面３２から下方に垂直に折られて下方に延びた前部板面３３、この前部板面３３から後方に折られて下向き傾斜で後方に延びた下部板面３４、この下部板面３４から下方に垂直に折られて下方に延びた固定部位面３５とからなっている。  緑化用棚形成体３０を複数本の支柱４にボルト５によって棚段を形成するように取り付けて緑化棚３６を形成する。図１０では４枚の緑化用棚形成体３０によって４段棚を形成しているが何段でも可能である。  上部板面３２、前部板面３３および下部板面３４により形成された側面形状が横向き台形である。このような横向き台形としたことにより、強度のある形態を実現している。【００２４】  図１１において、支柱４には多数のねじ穴１４（ねじ通し孔としト止めとするのもよい）が設けられている。具体的には、固定部位面３１と固定部位面３５の縁をつき合わせた状態での取付け（図１１の（ａ）図）、固定部位面３１と固定部位面３５を重ねた状態での支柱上方位置とした取付け（図１１の（ｂ）図）、固定部位面３１と固定部位面３５を重ねた状態での支柱下方位置とした取付け（図１１の（ｃ）図）形態を示している。  特に、図１１の（ｂ）図、図１１の（ｃ）図のように、固定部位面３１と固定部位面３５を重ねた状態での取付け固定は、固定部位面３１と固定部位面３５の二重構造となり、上方からの荷重に強い形態を実現するとともに、全体としても堅固性を高めることができる。【００２５】  図１２において、支柱４に緑化棚の棚段を形成する緑化用棚形成体３０と緑化用棚形成体３０の間にメッシュＭからなるプレート３９が設けられた形態を示している。  プレート３９は固定部位面３１、固定部位面３５と重ねられた形態でボルト５により固定されている。  緑化用棚形成体３０は該緑化用棚形成体３０を一回り大きくした形態で横幅が支柱４と同程度かそれより狭い幅のねじ通し孔４１を有する固定ベルト４０によって、プレート３９と固定部位面３１、プレート３９と固定部位面３５を重ねた上からボルト５によって固定される。  プレート３９はメッシュＭに限定されず、例えば、広告プレート、ＬＥＤなどの発光体を設けた発光プレートなど多様なものがある。また、その幅も多様である。  プレート３９を最下部に設けており、該最下部のプレート３９を取り外すことによって、密着性の無いないし弱い混合植生基盤の場合においては、あけた最下部の開口から該植生基盤をとりだすことができるとともに、網目（孔３）を通り抜けて根は内側に茎及び葉は外に出して成長した植物はメッシュＭによって該メッシュＭ上に保持されるので、新しい混合植生基盤を投入して既存の植物を新しい植生基盤で生育させることができる。  垂直面であるプレート３９面も植物成長する緑化面とすることができる。
【実施例３】
【００２６】  図１４に示す本発明の実施例３において前記実施例１と主に異なる点は、棚１３ａ、１３ｂ、１３ｃ、１３ｄを個別に分離した形態の、一つの棚である緑化用棚形成体４４を形成した点にある。  固定ベルト１５は固定ベルト１５ａと同じものである。  使用形態は前記実施例２と同様である。
【実施例４】
【００２７】  図１５に示す本発明の実施例４において前記実施例２と主に異なる点は、緑化用棚形成体３０と同じ形態の棚４７ａ、４７ｂ、４７ｃ、４７ｄを一枚のエキスパンドメタルメッシュＭを折り曲げて、多段棚の緑化用棚形成体４８を形成した点にある。  使用形態は前記実施例１と同様である。
【実施例５】
【００２８】  図１６に示す本発明の実施例５において前記実施例１と主に異なる点は、外側となる支柱４の側部に緑化用棚形成体１の側部開口を塞ぐ一枚プレートで形成した塞ぎプレート部５０を複数枚（本実施例では４枚）設けた塞ぎプレート付き支柱５１を形成した点にある。  また、固定ベルト１５の側部に塞ぎプレート５０の外側面が係って、該塞ぎプレート５０が外側に反るのを防ぐ突起５２を適宜設けてなる突起付き固定ベルト５３を形成した点にある。  実際の設置では塞ぎプレート付き支柱は緑化棚の左右に必要となるので、塞ぎプレート付き支柱５１と対称のものが必要となる。  塞ぎプレート部５０は、それぞれが分離したプレートでもよい。
【実施例６】
【００２９】  図１７に示す本発明の実施例６において前記実施例１と主に異なる点は、固定ベルト１５の側部に緑化用棚形成体１の側部開口を塞ぐ塞ぎプレート５０設けた塞ぎプレート付き固定ベルト５５を形成した点にある。  実際の設置では塞ぎプレート付き支柱は緑化棚の左右に必要となるので、塞ぎプレート付き固定ベルト５５と対称のものが必要となる。
【実施例７】
【００３０】  図１８に示す本発明の実施例７において前記実施例１と主に異なる点は、外側となる支柱４の側部に緑化用棚形成体１の側部開口を塞ぐエキスパンドメタルメッシュＭ一枚プレートで形成した塞ぎプレート部５７を複数枚（本実施例では４枚）設けた塞ぎプレート付き支柱５８を形成した点にある。  また、エキスパンドメタルメッシュＭ一枚プレートで形成した固定ベルト１５と同形態の固定ベルト６０の側部に塞ぎプレート５８の外側面が係って、該塞ぎプレート５８が外側に反るのを防ぐ突起５２を適宜設けてなる突起付き固定ベルト５９を形成した点にある。  実際の設置では塞ぎプレート付き支柱は緑化棚の左右に必要となるので、塞ぎプレート付き支柱５８対称のものが必要となる。  塞ぎプレート部５７は、それぞれが分離したプレートでもよい。  固定ベルト面６０の前部板面９ａ、９ｂ、９ｃ、９ｄに対応する前部面の孔形成壁２は、該前部板面９ａ、９ｂ、９ｃ、９ｄの孔形成壁２の向きと同様となっている。また、塞ぎプレート５８も同様の孔形成壁２向きとなっている。  固定ベルト６０面の孔３から緑化用棚形成体１内の種子が発芽し育った植物が外に芽吹き成長して緑化される。  また、塞ぎプレート５８の内面に植生シートを貼り付けることにより、塞ぎプレート５８の孔３からも植物が外に成長し緑化される。
【実施例８】
【００３１】  図１９に示す本発明の実施例８において前記実施例１と主に異なる点は、道路側である支柱４の表側に緑化用棚形成体１を設け、敷地側である該支柱４の裏側に緑化用棚形成体４４を４枚設けてなる緑化棚６２を形成した点にある。  植生基盤を除去する場合は敷地側の緑化用棚形成体４４を１、２個外して行えばできるので、歩行者や自動車の交通の妨げとならず、且つ、安全に交換作業を進めることができる。  支柱４の頭部にはエキスパンドメタルメッシュＭで形成した、側面Ｍ字形の上部被せ部材６３が最上部のボルト５によって緑化用棚形成体とともに固定して被せられ、上部被せ部材６３の谷間には水を散水するパイプ２２が設けられている。
【実施例９】
【００３２】  図２０に示す本発明の実施例９において前記実施例１と主に異なる点は、緑化用棚形成体の他の形態である、緑化用棚形成体６６、緑化用棚形成体６７、緑化用棚形成体６８を示しているところにある。（１）緑化用棚形成体６６はエキスパンドメタルメッシュＭで半円弧形態で突出形成した４段の棚７０を形成してなり、該棚７０は上方部位が上部板面７１を形成、前方部位が前部板面７２を形成し、下方部位が下部板面７３を形成してなっている。  植物は主に上部板面７１と前部板面７２に生育する。（２）緑化用棚形成体６７はエキスパンドメタルメッシュＭで逆さ直角三角形形態で突出形成した４段の棚７５を形成してなり、該棚７５は水平上部位が上部板面７６を形成、下部側後方引き傾斜面が前部板面７７を形成してなっている。  植物は主に上部板面７１と前部板面７２に生育する。（３）緑化用棚形成体６８はエキスパンドメタルメッシュＭで直角三角形形態で突出形成した４段の前部板面を有さない形態である棚７９を形成してなり（一段ずつでもよい）、該棚７９は傾斜面部位が上部板面８０（実質「前部板面」とみることもできる）が形成され、該上部板面８０の下部を奥（後方）に水平に折り曲げ（角度を付けた折り曲げでもよい）て支柱４から離し植生基盤収納部（実施例１では植生基盤収納部１１ａ〜が該当）を形成するための水平面である（傾斜面でもよい）下部板面８１を形成してなっている。  上部板面８０が上部端から下部端まで前方に下り傾斜した広い前面メッシュ壁を形成しているので、それは下方に行くほど支柱から離れ上方に行くほど支柱に近づく構造であることから、上部から投入した植生土（現地の土など）が上部板面８０内面に当接しながら積み上げられて行くことを実現し、よって、上部板面８０の上方に植生土が入らない、ないし小さな空間で済む、押さえの弱い部位が生じない植生土の詰め込み状態を実現するものである。  上部板面８０部位のエキスパンドメタルメッシュＭの孔３の開口は上方を向く形態となるので、植物は広い占有面積の上部板面８０に生育し、緑化棚の前面を広範囲に満遍なく緑化状態にできる。  上部板面８０の傾斜は４５度〜８０度程度がよく、より良くは６０度〜７５度程度がよい。  上部板面８０（実質「前部板面」とみることもできる）は、下部板面８１から見て上部に位置していることから上部板面としている。
【実施例１０】
【００３３】  図３０、図３１、図３２に示す本発明の実施例１０において前記実施例１と主に異なる点は、棚の形態を、上部板面を傾斜角度を６５度〜７５度（図では略７０度）の上部板面１３５とし、この上部板面１３５の下部を奥（後方）に略直角に折り曲げて形成した傾斜角度略２０度の下部板面１３６とし、上部板面１３５の上部側を内側に折り曲げ上部内側に植生土が入る空間を形成する上部板上方折り曲げ部１３７を形成し、一枚のエキスパンドメタルメッシュＭで２段の前部板面を有さない棚１３８としてなるは緑化用棚形成体１３９を形成した点にある。  上部板面１３５が上部端から下部端まで前方に下り傾斜した広い前面メッシュ壁を形成しているので、それは下方に行くほど支柱から離れ上方に行くほど支柱に近づく構造であることから、上部から投入した植生土（現地の土など）が上部板面１３５内面に当接しながら積み上げられて行くことを実現し、よって、上部板面１３５の上方に植生土が入らないで土の入らない空間が生じることがない、ないし小さな空間で済む、また、押さえの弱い部位が生じない植生土の詰め込み状態を実現するものである。  上部板面１３５部位のエキスパンドメタルメッシュＭの孔３の開口は上方を向く形態となるので、植物は広い占有面積の上部板面１３５に生育し、緑化棚の前面を広範囲に満遍なく緑化状態にできる。  上部板面１３５の傾斜は４５度〜１３５度程度がよく、より良くは６０度〜７５度程度がよい。  上部板面１３５（実質「前部板面」とみることもできる）は、下部板面８１から見て上部に位置していることから上部板面としている。  棚１３８の内壁面には、植生マット４０が設けられ、該植生マット４０の内側ないし外面には植物の種が仕込まれている。植生マット４０はそれだけでも植物の栄養源となり且つ保水性があり耐腐食性ものである。具体的には、アジアの熱帯地域に分布する高木「カポック」の果実から作られた天然繊維を、カポック繊維袋、麻袋ないし合成樹脂製袋にパッチワーク状に縫った袋などが好適である。主な目的は保水性を維持するためである。  また、緩勾配５分以上の場合は、土が充填出来ないので麻袋でメッシュの内側形状の土袋を作って、種子入りの土を充填し、土袋を置いた上に棚１３８を被せる方法とする。【００３４】≪附記≫＜その他の発明＞＜その他の発明の名称＞  緑化用棚形成体および緑化棚＜技術分野＞＜０００１＞  その他の発明は、擁壁、壁面、塀などの緑化用棚形成体および緑化棚に関する。＜背景技術＞＜０００２＞  支柱前面から後方に向けて棚板を斜めに差込むための斜めの凹みからなる棚板差込部を多段設け、間隔を開けて配置した複数本の支柱に棚板（緑化用棚形成体）を多段に設けてなる、各棚の上部が全面開口である緑化棚が知られている。（例えば特許文献１）＜先行技術文献＞＜特許文献＞＜０００３＞  ＜特許文献１＞  特開２００９−２５４３４７号公報＜非特許文献＞＜０００４＞  ＜非特許文献１＞  特になし＜その他の発明の概要＞＜その他の発明が解決しようとする課題＞＜０００５＞  上述した特許文献１の技術は、緑化棚の緑化において棚板の前部板面は単なる板であるので該前部面を緑化できない、よって、緑化面積が狭くなる、植物生育後も棚板の前部面の殆どが露出して見える、あるいは植物の間から見えるなど景観的にも良好ではない景観になるという欠点を有してした。＜０００６＞  その他の発明は以上のような従来技術の欠点に鑑み、緑化面積を増やすことができる緑化用棚形成体および緑化棚を提供することを目的としている。＜その他の発明の効果＞＜０００７＞  その他の発明にあっては次に列挙する効果を奏する。＜その他の発明の請求項１の効果＞  鋼板に多数の切り込み入れ押し拡げあるいは引き延ばして傾斜状の壁間に形成した孔の多数によって網目状鋼板に形成してなる、あるいは鋼板に設けた多数の切り込み部分を押し出し形成した顎状の壁や傾斜状の壁の間に形成した孔の多数によって網目状鋼板に形成してなるエキスパンドメタルメッシュ、  前部面を形成する前記エキスパンドメタルメッシュからなる立ち上がった形態の前部板面と、この前部板面の下部から後方に延びて下部面を形成する下部板面と、この下部板面から立ち下がった形態の後部板面とからなるとともに、  前記前部板面において前記孔の開口が該前部板面の前方に突出した前記孔形成壁の上に位置する向きとされてなることを特徴とする緑化用棚形成体であるので、次に述べるような効果を奏する。  すなわち、（１）支柱の間に複数枚セットして多段棚の緑化棚を形成して使用する。  種子を前部板面の内側に配置することによって、エキスパンドメタルメッシュの孔（網目）から外に植物を生育させて、該前部板面を緑化することができるので、上部開放面の緑化に加えて前部板面での緑化がなされ、その分緑化面積を広げることができるという効果を奏する。  また、景観的にも前部板面が見えない殆どが緑化面となった景観を実現するという効果を奏する。（２）密着性の無いないし弱い植生基盤を使用することによって、植生基盤を例えば予め設けてある下方開口を開口してとりだすことができるとともに、網の目を通り抜けて成長している植物はエキスパンドメタルメッシによって該エキスパンドメタルメッシ上に保持されるので、新しい混合植生基盤を投入して既存の植物を新しい植生基盤で生育させることができるという効果を奏する。  また、密着性の強い植生基盤であっても水崩壊性のものであれば、流水によって植生基盤を荒い流し除くことによって、網の目を通り抜けて成長している植物はエキスパンドメタルメッシによって該エキスパンドメタルメッシ上に保持された状態とし、新しい混合植生基盤を投入して既存の植物を新しい植生基盤で生育させることができるという効果を奏する。  メッシュの網目からの植物の生長であり、これに持っても適した草丈の低い植生基盤からの水分吸収の少ないグランドカバー（地面を覆うように広がる、背の低い植物）に向いた常用多年草植物を選択することが最適であり、このような使用とした場合には植物の剪定作業をしなくてもよいことになり、草丈の低いダイカンドラ、テイフブレア、シロツメクサなどの多年草常緑植物を選択することにより、保水の有効期間が長期化できるものである。  また、常用植物としてはヒメイワダレソウ・セダム・コケ類等もよい。（３）部分的に枯れた部位は、エキスパンドメタルメッシの孔の植生基盤を細棒なでほじくり出し、種子を練り込んだ土などの種子入り植生基盤��該孔に押し込むことによって、簡単に補修できるという効果を奏する。＜その他の発明の請求項２記載の効果＞  一対の支柱と、この支柱間に緑化棚を形成する形態で取り付けられた請求項１に記載された緑化用棚形成体とからなることを特徴とする緑化棚であるので、その他の発明の請求項1に記載のその他の発明と同様な効果を奏する。＜その他の発明を実施するための形態＞＜０００８＞  以下、その他の発明を実施するための最良の形態である実施例（以下「その他の発明の実施例」という）を説明する。但し、その他の発明をこれら実施例のみに限定する趣旨のものではない。また、後述する実施例の説明に当って、前述した実施例の同一構成部分には同一符号を付して重複する説明を省略する。＜実施例１＞＜０００９＞  図４、図２１〜図２４、図２９に示すその他の発明の実施例１において１００は緑化用棚形成体であって、緑化用棚形成体１００は次のような構成となっている。  鋼板に多数の切り込み入れ押し拡げあるいは引き延ばして傾斜状の孔形成壁２の間に形成した菱形、扇形あるいは亀甲状等に形成した孔３の多数によって網目状鋼板に形成してなる、あるいは鋼板に設けた多数の切り込み部分を押し出し形成した傾斜壁（顎状壁を含む）である孔形成壁２によって形成した孔３の多数によって網目状鋼板に形成してなるエキスパンドメタルメッシュＭ、緑化用棚形成体１００はこのエキスパンドメタルメッシュＭ（以下「メッシュＭ」ともいう）の一枚を折り曲げて形成したものであり、前部面を形成する前記エキスパンドメタルメッシュＭからなる垂直に立ち上がった形態の前部板面１０１と、この前部板面１０１の下部から後方に斜め下り（傾斜角度約４５度）形態で延びて下部面を形成する下部板面１０２と、この下部板面１０２から垂直に立ち下がった形態の後部板面１０３とからなるとともに、  前記前部板面１０１において前記孔３の開口が該前部板面１０１の前方に突出した孔形成壁２の上に位置する向きとされてなるものである。＜００１０＞  前部板面１０１においては、孔形成壁２がその下部を後方下に位置し上部を前方上に位置した、孔３が孔形成壁２の上方にその開口を位置する形態とされ、それぞれの孔３と孔形成壁２で小さな植生鉢ないし植物が孔３からメッシュＭの外に上に向かって成長して行く小開口を形成している。  前部板面１０１の内側面には種子を有する植生シート（図示せず省略）が貼り付けられ、水をやると発芽し孔３（網目）から外に成長し、内の植生基盤には根を張って行くので、強風にも吹き飛ばない形態で緑化面積を増やしている。＜００１１＞  緑化用棚形成体１００によって緑化棚９７を形成するための支柱９８は、立設される筒形態であり、筒形態の支柱本体９９には、その内側壁面に緑化用棚形成体１００の側部が差し込まれる棚形成体差込孔１０４が５段形成され、該棚形成体差込孔１０４の後方に背面パネル１０５（ここではエキスパンドメタルメッシＭを使用）が差し込まれる背面パネル差込孔１０６が形成され、この背面パネル差込孔１０６の下部と連絡して前方の水平延びる底パネル１０７が差し込まれる底パネル差込孔１０８が形成され、支柱本体９９の上方と下方にはその内側壁面および外側壁面に水平に貫通してなるねじ棒１０９を通すためのねじ通し孔１１０が形成され、支柱本体９９の底部には転倒防止部材１１１を設けた構成となっている。  支柱９８、９８を対抗させ、5枚の緑化用棚形成体１００を5つの棚形成体差込孔１０４、１０４に一枚ずつ差し込み、背面パネル差込孔１０６、１０６に背面パネル１０５を差し込み、底パネル差込孔１０８、１０８に底パネル１０７を差し込み、この状態にしてねじ通し孔１１０、１１０にねじ棒１０９を通しナット１１２で締め付け支柱９８、９８を連結し、支柱９８、９８、5枚の緑化用棚形成体１００、背面パネル１０５、底パネル１０７を一体化させて緑化棚９７を形成する。  前部板面１０１の上部縁には安全カバー１１３が被せられている。  底パネル差込孔１０８は底パネル１０７よりも2倍以上の幅があり、底パネル１０７を前後に斜めにして底パネル差込孔１０８から外すことができる。底パネル差込孔に代えて内側に突出した底パネル１０７の側面縁が載る突出部としてもよい。  緑化棚９７形成後に最上部の開口から植生基盤１８が投入される。＜００１２＞  密着性の無いないし弱い混合植生基盤を用いることによって、混合植生基盤を交換する場合にあっては、底パネル１０７を外し植生基盤を底側から抜き出すのであるが、網目（孔３）を通り抜けて根は内側に茎及び葉は外に出して成長した前部板面１０１の植物はメッシュＭによって該メッシュＭ上に保持された状態となっている。古い混合植生基盤を取り除き、底パネル１０７で底を塞ぎ、新しい混合植生基盤を投入して前部板面１０１に生えた植物を新しい植生基盤でその緑化を維持し生育させることができるものである。  また、密着性の強い植生基盤であっても水崩壊性のものであれば、流水によって植生基盤を荒い流し除くことによって、網の目を通り抜けて成長している植物はエキスパンドメタルメッシＭによって該エキスパンドメタルメッシＭ上に保持された状態とし、新しい混合植生基盤を投入して新しい植生基盤で生育させることができるものである。  また、部分的に枯れた部位は、エキスパンドメタルメッシＭの孔の植生基盤を細棒なでほじくり出し、種子を練り込んだ土などの種子入り植生基盤を該孔に押し込むことによって、簡単に補修できる。  メッシュの網目からの植物の生長であり、これに持っても適した草丈の低い植生基盤からの水分吸収の少ないグランドカバー（地面を覆うように広がる、背の低い植物）に向いた常用多年草植物を選択することが最適であり、このような使用とした場合には植物の剪定作業をしなくてもよいことになり、草丈の低いダイカンドラ、テイフブレア、シロツメクサなどの多年草常緑植物を選択することにより、保水の有効期間が長期化できるものである。  また、常用植物としてはヒメイワダレソウ・セダム・コケ類等もよい。＜実施例２＞＜００１３＞  図２５に示すその他の発明の実施例２において前記実施例１０と主に異なる点は、支柱を筒形態の傾斜６３度の支柱本体１１７としてなる支柱１１８とし、一対の支柱１１８と５枚の緑化用棚形成体１００によって緑化棚１１９を形成した点にある。＜実施例３＞＜００１４＞  図２６、図２７に示すその他の発明の実施例３において前記実施例１０と主に異なる点は、緑化用棚形成体を下部板面を傾斜角���約５０度で前後幅を長くした下部板面１２５としてなる緑化用棚形成体１２０とし、支柱を筒形態の支柱本体１２１とし、支柱本体１２１に緑化用棚形成体１２０が差し込まれる４段の棚形成体差込孔１２３が形成されてなる支柱１２２とし、一対の支柱１２２と４枚の緑化用棚形成体１２０によって緑化棚１２４を形成した点にある。  緑化用棚形成体１２０同士の上下間隔を広くしたものである。＜実施例４＞＜００１５＞  図２８に示すその他の発明の実施例４において前記実施例１０と主に異なる点は、緑化用棚形成体を前部板面を上下幅７ｃｍ〜１０ｃｍとした前部板面１３０とし、下部板面を傾斜角度約３５度とした下部板面１３１とし、後部板面を上下幅７ｃｍ〜１０ｃｍとした後部板面１３２としてなる緑化用棚形成体１３３を形成した点にある。  前部板面１３０の植生面積を広くしたものである。
【産業上の利用可能性】
【００３５】  本発明は壁面の緑化、緑化棚、プランターなどを製造、設置する産業で利用される。
【符号の説明】
【００３６】Ｍ：エキスパンドメタルメッシュ、１：緑化用棚形成体、２：孔形成壁、３：孔、４、４ａ、４ｂ、４ｃ：支柱、５：ボルト、６：ボルト通し孔、７ａ、７ｂ、７ｃ、７ｄ：固定部位面、８ａ、８ｂ、８ｃ、８ｄ：上部板面、９ａ、９ｂ、９ｃ、９ｄ：前部板面、１０ａ、１０ｂ、１０ｃ、１０ｄ：下部板面、１１ａ、１１ｂ、１１ｃ、１１ｄ：植生基盤収納部、１２ａ、１２ｂ、１２ｃ、１２ｄ：後方開口部、１３ａ、１３ｂ、１３ｃ、１３ｄ：棚、１４：ねじ穴、１５、１５ａ、１５ｂ、１５ｃ：固定ベルト、１６：緑化棚、１７：植生シート、１８：発泡植生基盤、１９：背面プレート、２０：現地用土植生基盤、２１：混合植生基盤、２２：パイプ、２３：ねじ通し孔、２４：上部被せ材、２５：コンクリート壁、３０：緑化用棚形成体、３１：固定部位面、３２：上部板面、３３：前部板面、３４：下部板面、３５：固定部位面、３６：緑化棚、３９：プレート、４０：固定ベルト、４１：ねじ通し孔、４４：緑化用棚形成体、４７ａ、４７ｂ、４７ｃ、４７ｄ：棚、４８：緑化用棚形成体、５０：塞ぎプレート、５１：塞ぎプレート付き支柱、５２：突起、５３：突起付き固定ベルト、５５：塞ぎプレート付き固定ベルト５５、５７：塞ぎプレート部、５８：塞ぎプレート付き支柱、５９：突起付き固定ベルト、６０：固定ベルト、６２：緑化棚、６３：上部被せ部材、６６：緑化用棚形成体、６７：緑化用棚形成体、６８：緑化用棚形成体、７０：棚、７１：上部板面、７２：前部板面、７３：下部板面、７５：棚、７６：上部板面、７７：前部板面、７９：棚、８０：上部板面、８１：下部板面、９７：緑化棚、９８：支柱、９９：支柱本体、１００：緑化用棚形成体、１０１：前部板面、１０２：下部板面、１０３：後部板面、１０４：棚形成体差込孔、１０５：背面パネル、１０６：背面パネル差込孔、１０７：底パネル、１０８：底パネル差込孔、１０９：ねじ棒、１１０：ねじ通し孔、１１１：転倒防止部材、１１２：ナット、１１３：安全カバー、１１７：支柱本体、１１８：支柱、１１９：緑化棚、１２０：緑化用棚形成体、１２１：支柱本体、１２２：支柱、１２３：棚形成体差込孔、１２４：緑化棚、１２５：下部板面、１３０：前部板面、１３１：下部板面、１３２：後部板面、１３３：緑化用棚形成体、１３５：、１３６：、１３７：、：、：、：、：、：、：、：、：、：、：、：、：、：、：、：、：、：、：、：、：、：、：、     
【図１】
2012100648.tif 000003
【図２】
2012100648.tif 000004
【図３】
2012100648.tif 000005
【図４】
2012100648.tif 000006
【図５】
2012100648.tif 000007
【図６】
2012100648.tif 000008
【図７】
2012100648.tif 000009
【図８】
2012100648.tif 000010
【図９】
2012100648.tif 000011
【図１０】
2012100648.tif 000012
【図１１】
2012100648.tif 000013
【図１２】
2012100648.tif 000014
【図１３】
2012100648.tif 000015
【図１４】
2012100648.tif 000016
【図１５】
2012100648.tif 000017
【図１６】
2012100648.tif 000018
【図１７】
2012100648.tif 000019
【図１８】
2012100648.tif 000020
【図１９】
2012100648.tif 000021
【図２０】
2012100648.tif 000022
【図２１】
2012100648.tif 000023
【図２２】
2012100648.tif 000024
【図２３】
2012100648.tif 000025
【図２４】
2012100648.tif 000026
【図２５】
2012100648.tif 000027
【図２６】
2012100648.tif 000028
【図２７】
2012100648.tif 000029
【図２８】
2012100648.tif 000030
【図２９】
2012100648.tif 000031
【図３０】
2012100648.tif 000032
【図３１】
2012100648.tif 000033
【図３２】
2012100648.tif 000034